(57)【要約】【課題】熱応力による層剥離を防止したコイル部品を提供する。【解決手段】コイル部品は、ベース絶縁樹脂と、ベース絶縁樹脂上に積層された第１スパイラル配線と、第１スパイラル配線に積層され第１スパイラル配線を覆う第１絶縁樹脂と、第１絶縁樹脂上に積層され積層方向に延在するビア配線を介して第１スパイラル配線に接続された第２スパイラル配線と、第２スパイラル配線に積層され第２スパイラル配線を覆う第２絶縁樹脂と、ベース絶縁樹脂と第１および第２絶縁樹脂を覆う磁性樹脂とを備え、ベース絶縁樹脂と第１および第２絶縁樹脂は、絶縁樹脂体を構成し、絶縁樹脂体は、第１および第２スパイラル配線の中心側に孔部を有し、孔部は、第１および第２スパイラル配線と同一位置にある第１部分と、第１および第２スパイラル配線と同一位置にない第２部分とを有し、第１部分の大きさは、第２部分の大きさよりも大きく、磁性樹脂の一部は、絶縁樹脂体の孔部に設けられている。【選択図】図４Ｒ
2019004177.tif 000002
【特許請求の範囲】
【請求項１】
ベース絶縁樹脂と、
前記ベース絶縁樹脂上に積層された第１スパイラル配線と、
前記第１スパイラル配線に積層され、前記第１スパイラル配線を覆う第１絶縁樹脂と、
前記第１絶縁樹脂上に積層され、積層方向に延在するビア配線を介して前記第１スパイラル配線に接続された第２スパイラル配線と、
前記第２スパイラル配線に積層され、前記第２スパイラル配線を覆う第２絶縁樹脂と、
前記ベース絶縁樹脂、前記第１絶縁樹脂および前記第２絶縁樹脂を覆う磁性樹脂と
を備え、
前記ベース絶縁樹脂、前記第１絶縁樹脂および前記第２絶縁樹脂は、絶縁樹脂体を構成し、
前記絶縁樹脂体は、前記第１スパイラル配線および前記第２スパイラル配線の中心側に孔部を有し、
前記孔部は、積層方向に直交する方向において前記第１スパイラル配線および前記第２スパイラル配線と同一位置にある第１部分と、積層方向に直交する方向において前記第１スパイラル配線および前記第２スパイラル配線と同一位置にない第２部分とを有し、前記第１部分の大きさは、前記第２部分の大きさよりも大きく、
前記磁性樹脂の一部は、前記絶縁樹脂体の前記孔部に設けられている、コイル部品。
【請求項２】
前記ベース絶縁樹脂、前記第１絶縁樹脂および前記第２絶縁樹脂は、同一材料で構成される、請求項１に記載のコイル部品。
【請求項３】
前記第１スパイラル配線および前記第２スパイラル配線のそれぞれの積層方向の断面形状は、積層方向の同一方向に突出すると共に曲線の側面を有する凸形状である、請求項１または２に記載のコイル部品。
【発明の詳細な説明】
【技術分野】
【０００１】
本発明は、コイル部品に関する。
【背景技術】
【０００２】
従来、コイル部品としては、特開２０１２−２４８６３０号公報（特許文献１）に記載されたものがある。このコイル部品は、基板と、基板の両面に設けられたスパイラル配線と、基板およびスパイラル配線を覆う絶縁樹脂と、絶縁樹脂を覆う磁性樹脂とを有する。
【先行技術文献】
【特許文献】
【０００３】
【特許文献１】特開２０１２−２４８６３０号公報
【発明の概要】
【発明が解決しようとする課題】
【０００４】
ところで、前記従来のコイル部品を実際に製造して使用すると、次の問題があることを見出した。つまり、絶縁樹脂は、基板を覆っているので、熱衝撃やリフロー負荷時に、基板と絶縁樹脂の線膨張係数差によって、熱応力が生じる。この熱応力により、基板と絶縁樹脂の間に層剥離が発生する。
【０００５】
そこで、本発明の課題は、熱応力による層剥離を防止したコイル部品を提供することにある。
【課題を解決するための手段】
【０００６】
前記課題を解決するため、本発明のコイル部品の製造方法は、
基台上にダミー金属層を接着する工程と、
前記ダミー金属層上にベース絶縁樹脂を積層する工程と、
前記ベース絶縁樹脂上に第１スパイラル配線と第１絶縁樹脂とを順に積層して前記第１スパイラル配線を前記第１絶縁樹脂で覆い、前記第１絶縁樹脂上に第２スパイラル配線と第２絶縁樹脂とを順に積層して前記第２スパイラル配線を前記第２絶縁樹脂で覆って、コイル基板を形成する工程と、
前記基台と前記ダミー金属層との接着面で前記基台を前記ダミー金属層から剥がす工程と、
前記ダミー金属層を前記コイル基板から取り除く工程と、
前記コイル基板を磁性樹脂で覆う工程と
を備える。
【０００７】
本発明のコイル部品の製造方法によれば、基台をコイル基板から剥がし、コイル基板を磁性樹脂で覆っているので、コイル基板の絶縁樹脂は、基台に接触していない。したがって、熱衝撃やリフロー負荷時に、基台と絶縁樹脂の線膨張係数差によって生じる熱応力による層剥離を防止できる。
【０００８】
また、コイル部品の製造方法の一実施形態では、前記基台は、絶縁基板と、前記絶縁基板上に設けられ、前記ダミー金属層と接着されるベース金属層とを有する。
【０００９】
前記実施形態によれば、ダミー金属層は、基台のベース金属層と接着されるので、ダミー金属層は、ベース金属層の円滑面に接着される。このため、ダミー金属層とベース金属層の接着力を弱くすることができて、基台をダミー金属層から容易に剥がすことができる。
【００１０】
また、コイル部品の製造方法の一実施形態では、
前記コイル基板を形成する工程は、
前記ベース絶縁樹脂に開口部を設けて、前記ダミー金属層を露出させる工程と、
前記ベース絶縁樹脂上に前記第１スパイラル配線を設け、前記ベース絶縁樹脂の開口部内の前記ダミー金属層上に内磁路に対応する第１犠牲導体を設ける工程と、
前記第１スパイラル配線に直接的または間接的に通電して前記第１スパイラル配線をめっきにより大きくすると共に、前記ダミー金属層に通電して前記ダミー金属層に接続された前記第１犠牲導体をめっきにより大きくする工程と、
前記第１スパイラル配線および前記第１犠牲導体を前記第１絶縁樹脂で覆う工程と、
前記第１絶縁樹脂に開口部を設けて、前記第１犠牲導体を露出させる工程と、
前記第１絶縁樹脂上に前記第２スパイラル配線を設け、前記第１絶縁樹脂の開口部内の前記第１犠牲導体上に内磁路に対応する第２犠牲導体を設ける工程と、
前記第２スパイラル配線に直接的または間接的に通電して前記第２スパイラル配線をめっきにより大きくすると共に、前記ダミー金属層に通電して前記第１犠牲導体を介して前記第２犠牲導体をめっきにより大きくする工程と、
前記第２スパイラル配線および前記第２犠牲導体を前記第２絶縁樹脂で覆う工程と、
前記第２絶縁樹脂に開口部を設けて、前記第２犠牲導体を露出させる工程と、
前記第１犠牲導体および前記第２犠牲導体を取り除き、内磁路に対応する孔部を形成する工程と
を有し、
前記コイル基板を前記磁性樹脂で覆う工程では、前記孔部に前記磁性樹脂を充填して前記磁性樹脂にて前記内磁路を構成する。
【００１１】
前記実施形態によれば、第１スパイラル配線と第１犠牲導体とを１つの工程で設けている。つまり、第１スパイラル配線と第１犠牲導体は、ともに導体であるから、１つの工程で形成することが可能である。なお、第２スパイラル配線および第２犠牲導体を設ける場合についても同様である。これにより、絶縁樹脂に対する内磁路用の孔部（犠牲導体）の位置の公差と、絶縁樹脂に対するスパイラル配線の位置の公差の合計は、小さい。結果として、内磁路の断面積を大きくでき、より高いインダクタンス値を得ることができる。
【００１２】
また、第１スパイラル配線に直接的または間接的に通電して第１スパイラル配線をめっきにより大きくし、ダミー金属層に通電してダミー金属層に接続された第１犠牲導体をめっきにより大きくする。これにより、第１スパイラル配線の厚さと第１犠牲導体の厚さの差を無くすことができる。したがって、第１スパイラル配線および第１犠牲導体を覆う第１絶縁樹脂に開口部を設けて、第１犠牲導体を露出させるとき、開口部の深さは浅く、開口部の形成は容易となる。そして、第２スパイラル配線および第２犠牲導体を設け、第２絶縁樹脂に開口部を設けるとき、開口部の深さは一定となる。さらに、多層となっても、開口部の深さは一定となり、開口部の形成は容易となる。また、開口部内に設ける犠牲導体の形状も一定とできる。
【００１３】
また、本発明のコイル部品は、
ベース絶縁樹脂と、
前記ベース絶縁樹脂上に積層された第１スパイラル配線と、
前記第１スパイラル配線に積層され、前記第１スパイラル配線を覆う第１絶縁樹脂と、
前記第１絶縁樹脂上に積層され、積層方向に延在するビア配線を介して前記第１スパイラル配線に接続された第２スパイラル配線と、
前記第２スパイラル配線に積層され、前記第２スパイラル配線を覆う第２絶縁樹脂と、
前記ベース絶縁樹脂、前記第１絶縁樹脂および前記第２絶縁樹脂を覆う磁性樹脂と
を備える。
【００１４】
本発明のコイル部品によれば、第１スパイラル配線および第２スパイラル配線は、それぞれ、絶縁樹脂上に積層されているので、第１、第２スパイラル配線を積層する基板は、そもそも存在しておらず、絶縁樹脂は、基板に接触していない。したがって、熱衝撃やリフロー負荷時に、基板と絶縁樹脂の線膨張係数差によって生じる熱応力による層剥離を防止できる。
【００１５】
また、コイル部品の一実施形態では、前記ベース絶縁樹脂、前記第１絶縁樹脂および前記第２絶縁樹脂は、同一材料で構成される。
【００１６】
前記実施形態によれば、ベース絶縁樹脂、第１絶縁樹脂および第２絶縁樹脂は、同一材料で構成されるので、各絶縁樹脂の線膨張係数の差をなくし、熱衝撃やリフロー負荷時に、各絶縁樹脂の層剥離を防止できる。
【００１７】
また、コイル部品の一実施形態では、前記第１スパイラル配線および前記第２スパイラル配線のそれぞれの積層方向の断面形状は、積層方向の同一方向に突出すると共に曲線の側面を有する凸形状である。
【００１８】
前記実施形態によれば、第１スパイラル配線および第２スパイラル配線のそれぞれの積層方向の断面形状は、積層方向の同一方向に突出すると共に曲線の側面を有する凸形状である。これにより、第１、第２スパイラル配線は、積層方向の力に対して、屈曲し難くなり、第１、第２スパイラル配線と絶縁樹脂との間の剥離を抑制できる。
【発明の効果】
【００１９】
本発明のコイル部品の製造方法によれば、基台をコイル基板から剥がしているので、熱応力による層剥離を防止できる。
【００２０】
本発明のコイル部品によれば、第１、第２スパイラル配線は、それぞれ、絶縁樹脂上に積層されているので、熱応力による層剥離を防止できる。
【図面の簡単な説明】
【００２１】
【図１】本発明のコイル部品の第１実施形態を含む電子部品を示す分解斜視図である。
【図２】コイル部品の断面図である。
【図３Ａ】本発明のコイル部品の製法の第１実施形態を説明する説明図である。
【図３Ｂ】本発明のコイル部品の製法の第１実施形態を説明する説明図である。
【図３Ｃ】本発明のコイル部品の製法の第１実施形態を説明する説明図である。
【図３Ｄ】本発明のコイル部品の製法の第１実施形態を説明する説明図である。
【図３Ｅ】本発明のコイル部品の製法の第１実施形態を説明する説明図である。
【図３Ｆ】本発明のコイル部品の製法の第１実施形態を説明する説明図である。
【図３Ｇ】本発明のコイル部品の製法の第１実施形態を説明する説明図である。
【図３Ｈ】本発明のコイル部品の製法の第１実施形態を説明する説明図である。
【図３Ｉ】本発明のコイル部品の製法の第１実施形態を説明する説明図である。
【図３Ｊ】本発明のコイル部品の製法の第１実施形態を説明する説明図である。
【図３Ｋ】本発明のコイル部品の製法の第１実施形態を説明する説明図である。
【図３Ｌ】本発明のコイル部品の製法の第１実施形態を説明する説明図である。
【図３Ｍ】本発明のコイル部品の製法の第１実施形態を説明する説明図である。
【図４Ａ】本発明のコイル部品の製法の第２実施形態を説明する説明図である。
【図４Ｂ】本発明のコイル部品の製法の第２実施形態を説明する説明図である。
【図４Ｃ】本発明のコイル部品の製法の第２実施形態を説明する説明図である。
【図４Ｄ】本発明のコイル部品の製法の第２実施形態を説明する説明図である。
【図４Ｅ】本発明のコイル部品の製法の第２実施形態を説明する説明図である。
【図４Ｆ】本発明のコイル部品の製法の第２実施形態を説明する説明図である。
【図４Ｇ】本発明のコイル部品の製法の第２実施形態を説明する説明図である。
【図４Ｈ】本発明のコイル部品の製法の第２実施形態を説明する説明図である。
【図４Ｉ】本発明のコイル部品の製法の第２実施形態を説明する説明図である。
【図４Ｊ】本発明のコイル部品の製法の第２実施形態を説明する説明図である。
【図４Ｋ】本発明のコイル部品の製法の第２実施形態を説明する説明図である。
【図４Ｌ】本発明のコイル部品の製法の第２実施形態を説明する説明図である。
【図４Ｍ】本発明のコイル部品の製法の第２実施形態を説明する説明図である。
【図４Ｎ】本発明のコイル部品の製法の第２実施形態を説明する説明図である。
【図４Ｏ】本発明のコイル部品の製法の第２実施形態を説明する説明図である。
【図４Ｐ】本発明のコイル部品の製法の第２実施形態を説明する説明図である。
【図４Ｑ】本発明のコイル部品の製法の第２実施形態を説明する説明図である。
【図４Ｒ】本発明のコイル部品の製法の第２実施形態を説明する説明図である。
【図５】本発明のコイル部品の製法の他の実施形態を説明する説明図である。
【図６Ａ】コイル部品の製法の比較例を説明する説明図である。
【図６Ｂ】コイル部品の製法の比較例を説明する説明図である。
【図６Ｃ】コイル部品の製法の比較例を説明する説明図である。
【図６Ｄ】コイル部品の製法の比較例を説明する説明図である。
【図６Ｅ】コイル部品の製法の比較例を説明する説明図である。
【図６Ｆ】コイル部品の製法の比較例を説明する説明図である。
【図６Ｇ】コイル部品の製法の比較例を説明する説明図である。
【図６Ｈ】コイル部品の製法の比較例を説明する説明図である。
【発明を実施するための形態】
【００２２】
以下、本発明を図示の実施の形態により詳細に説明する。
【００２３】
（第１実施形態）
図１は、本発明のコイル部品の第１実施形態を含む電子部品を示す分解斜視図である。図２は、コイル部品の断面図である。図１に示すように、電子部品１は、例えば、パソコン、ＤＶＤプレーヤー、デジカメ、ＴＶ、携帯電話、カーエレクトロニクスなどの電子機器に搭載される。電子部品１は、並列に配置された２つのコイル部品２を有する。
【００２４】
図１と図２に示すように、コイル部品２は、４層のスパイラル配線２１〜２４と、４層のスパイラル配線２１〜２４をそれぞれ覆う絶縁樹脂体３５と、絶縁樹脂体３５を覆う磁性樹脂４０とを有する。この明細書において、対象物を覆うとは、対象物の少なくとも一部を覆うことをいう。図１では、絶縁樹脂体３５を省略して描いている。
【００２５】
第１から第４スパイラル配線２１〜２４は、下層から上層に順に、配置される。第１から第４スパイラル配線２１〜２４は、それぞれ、平面においてスパイラル状に形成されている。第１から第４スパイラル配線２１〜２４は、例えば、Ｃｕ、Ａｇ、Ａｕなどの低抵抗な金属によって構成される。好ましくは、セミアディティブ工法によって形成されるＣｕめっきを用いることで、低抵抗でかつ狭ピッチなスパイラル配線を形成できる。
【００２６】
絶縁樹脂体３５は、ベース絶縁樹脂３０および第１から第４絶縁樹脂３１〜３４を有する。ベース絶縁樹脂３０および第１から第４絶縁樹脂３１〜３４は、下層から上層に順に、配置される。絶縁樹脂３０〜３４の材料は、例えば、エポキシ系樹脂やビスマレイミド、液晶ポリマ、ポリイミドなどからなる有機絶縁材料の単独材料もしくは、シリカフィラーなどの無機フィラー材料や、ゴム系材料からなる有機系フィラーなどとの組み合わせからなる絶縁材料である。好ましくは、全ての絶縁樹脂３０〜３４は、同一材料で構成される。この実施形態では、全ての絶縁樹脂３０〜３４は、シリカフィラーを含有したエポキシ樹脂で構成される。
【００２７】
第１スパイラル配線２１は、ベース絶縁樹脂３０上に積層される。第１絶縁樹脂３１は、第１スパイラル配線２１に積層され、第１スパイラル配線２１を覆う。第２スパイラル配線２２は、第１絶縁樹脂３１上に積層される。第２絶縁樹脂３２は、第２スパイラル配線２２に積層され、第２スパイラル配線２２を覆う。
【００２８】
第３スパイラル配線２３は、第２絶縁樹脂３２上に積層される。第３絶縁樹脂３３は、第３スパイラル配線２３に積層され、第３スパイラル配線２３を覆う。第４スパイラル配線２４は、第３絶縁樹脂３３上に積層される。第４絶縁樹脂３４は、第４スパイラル配線２４に積層され、第４スパイラル配線２４を覆う。
【００２９】
第２スパイラル配線２２は、積層方向に延在するビア配線２５を介して、第１スパイラル配線２１に接続される。ビア配線２５は、第１絶縁樹脂３１に設けられる。第１スパイラル配線２１の内周端２１ａと第２スパイラル配線２２の内周端２２ａとは、ビア配線２５を介して、接続される。第１スパイラル配線２１の外周端２１ｂは、図示しない外部電極に接続される。第２スパイラル配線２２の外周端２２ｂは、図示しない外部電極に接続される。
【００３０】
第４スパイラル配線２４は、積層方向に延在するビア配線２６を介して、第３スパイラル配線２３に接続される。ビア配線２６は、第３絶縁樹脂３３に設けられる。第３スパイラル配線２３の内周端２３ａと第４スパイラル配線２４の内周端２４ａとは、ビア配線２６を介して、接続される。第３スパイラル配線２３の外周端２３ｂは、図示しない外部電極に接続される。第４スパイラル配線２４の外周端２４ｂは、図示しない外部電極に接続される。
【００３１】
第１から第４スパイラル配線２１〜２４は、同一軸を中心として、配置されている。第１スパイラル配線２１と第２スパイラル配線２２とは、軸方向（積層方向）からみて、同一方向に巻き回されている。第３スパイラル配線２３と第４スパイラル配線２４とは、軸方向からみて、同一方向に巻き回されている。第１、第２スパイラル配線２１，２２と第３、第４スパイラル配線２３，２４とは、軸方向からみて、互いに逆方向に巻き回されている。
【００３２】
第１から第４スパイラル配線２１〜２４のそれぞれの積層方向の断面形状は、積層方向の同一方向に突出する凸形状である。第１から第４スパイラル配線２１〜２４のそれぞれの凸形状は、曲線の側面２１ａ〜２４ａを有する。
【００３３】
第１から第４スパイラル配線２１〜２４の内面および外面は、絶縁樹脂体３５に覆われている。絶縁樹脂体３５は、第１から第４スパイラル配線２１〜２４の同一軸を中心とした孔部３５ａを有する。
【００３４】
磁性樹脂４０は、絶縁樹脂体３５を覆う。磁性樹脂４０は、絶縁樹脂体３５の孔部３５ａに設けられた内部分４１と、絶縁樹脂体３５の外部（外周面および上下端面）に設けられた外部分４２とを有する。内部分４１は、コイル部品２の内磁路を構成し、外部分４２は、コイル部品２の外磁路を構成する。
【００３５】
磁性樹脂４０の材料は、例えば、磁性体粉含有の樹脂材料である。磁性体粉は、例えば、Ｆｅ、Ｓｉ、Ｃｒ等の金属磁性材料であり、樹脂材料は、例えば、エポキシ等の樹脂材料である。コイル部品２の特性（Ｌ値および重畳特性）を向上させるため、磁性体粉は、９０ｗｔ％以上含有されていることが望ましく、また、磁性樹脂４０の充填性を向上させるため、粒度分布の異なる２または３種類の磁性体粉を混在させるとさらによい。
【００３６】
次に、コイル部品２の製造方法について説明する。
【００３７】
図３Ａに示すように、基台５０を準備する。基台５０は、絶縁基板５１と、絶縁基板５１の両面に設けられたベース金属層５２とを有する。この実施形態では、絶縁基板５１は、ガラスエポキシ基板であり、ベース金属層５２は、Ｃｕ箔である。
【００３８】
そして、図３Ｂに示すように、基台５０の一面上にダミー金属層６０を接着する。この実施形態では、ダミー金属層６０は、Ｃｕ箔である。ダミー金属層６０は、基台５０のベース金属層５２と接着されるので、ダミー金属層６０は、ベース金属層５２の円滑面に接着される。このため、ダミー金属層６０とベース金属層５２の接着力を弱くすることができて、後工程において、基台５０をダミー金属層６０から容易に剥がすことができる。好ましくは、基台５０とダミー金属層６０を接着する接着剤は、低粘着接着剤とする。また、基台５０とダミー金属層６０の接着力を弱くするために、基台５０とダミー金属層６０の接着面を光沢面とすることが望ましい。
【００３９】
その後、基台５０に仮止めされたダミー金属層６０上にベース絶縁樹脂３０を積層する。このとき、ベース絶縁樹脂３０を真空ラミネータにより積層してから熱硬化する。
【００４０】
そして、図３Ｃに示すように、ベース絶縁樹脂３０上に第１スパイラル配線２１を積層する。このとき、２つの第１スパイラル配線２１，２１を並列に設ける。第１スパイラル配線２１の製造は、ＳＡＰ（Semi Additive Process）により下地配線を形成する工程と、下地配線にめっき処理を施す工程とを有し、これにより、凸状の円弧断面を有する第１スパイラル配線２１を形成する。
【００４１】
そして、図３Ｄに示すように、第１スパイラル配線２１に第１絶縁樹脂３１を積層して、第１スパイラル配線２１を第１絶縁樹脂３１で覆う。このとき、第１絶縁樹脂３１を真空ラミネータで積層してから熱硬化する。その後、第１絶縁樹脂３１に、レーザ加工により、ビア配線２５を充填するためのビアホールを形成する。
【００４２】
そして、図３Ｅに示すように、第１絶縁樹脂３１上に第２スパイラル配線２２を積層する。このとき、第２スパイラル配線２２を第１スパイラル配線２１と同様の処理にて設ける。
【００４３】
そして、図３Ｆに示すように、第２スパイラル配線２２に第２絶縁樹脂３２を積層して、第２スパイラル配線２２を第２絶縁樹脂３２で覆う。このとき、第２絶縁樹脂３２を第１絶縁樹脂３１と同様の処理にて設ける。
【００４４】
そして、図３Ｇに示すように、図３Ｃ〜図３Ｆの方法と同様の方法を繰り返して、第２絶縁樹脂３２上に第３スパイラル配線２３と第３絶縁樹脂３３とを順に積層して、第３スパイラル配線２３を第３絶縁樹脂３３で覆い、さらに、第３絶縁樹脂３３上に第４スパイラル配線２４と第４絶縁樹脂３４とを順に積層して、第４スパイラル配線２４を第４絶縁樹脂３４で覆う。第３絶縁樹脂３３に、レーザ加工により、ビア配線２６を充填するためのビアホールを形成する。このようにして、ベース絶縁樹脂３０および第１から第４絶縁樹脂３１〜３４と、第１から第４スパイラル配線２１〜２４とにより、コイル基板５を形成する。
【００４５】
そして、図３Ｈに示すように、コイル基板５の端部を基台５０の端部とともにカットライン１０で切り落とす。カットライン１０は、ダミー金属層６０の端面よりも内側に位置する。
【００４６】
そして、図３Ｉに示すように、基台５０（ベース金属層５２）の一面とダミー金属層６０との接着面で基台５０をダミー金属層６０から剥がす。
【００４７】
そして、図３Ｊに示すように、ダミー金属層６０をコイル基板５から取り除く。このとき、ダミー金属層６０をエッチングにより取り除く。第１から第４スパイラル配線２１〜２４は、ベース絶縁樹脂３０および第１から第４絶縁樹脂３１〜３４で構成される絶縁樹脂体３５により、覆われる。
【００４８】
そして、図３Ｋに示すように、絶縁樹脂体３５に、内磁路に対応する孔部３５ａを設ける。孔部３５ａは、第１から第４スパイラル配線２１〜２４の内部に位置する。孔部３５ａは、レーザ加工等により絶縁樹脂体３５を積層方向に貫通して、形成される。
【００４９】
そして、図３Ｌに示すように、コイル基板５を磁性樹脂４０で覆う。このとき、コイル基板５の積層方向の両側に、シート状に成形した磁性樹脂４０を複数枚配置し、真空ラミネータもしくは真空プレス機により、加熱圧着させ、その後硬化処理をする。そして、磁性樹脂４０は、絶縁樹脂体３５の孔部３５ａに充填されて内磁路を構成し、絶縁樹脂体３５の外部に設けられて外磁路を構成する。
【００５０】
そして、図３Ｍに示すように、ダイサー等によりチップをカットし個片化後、カット面に露出したスパイラル配線２１〜２４の端部に（図示しない）外部端子を接続して、コイル部品２を形成する。
【００５１】
前記コイル部品２の製造方法によれば、基台５０をコイル基板５から剥がし、コイル基板５を磁性樹脂４０で覆っているので、コイル基板５の絶縁樹脂３０〜３４は、基台５０に接触していない。したがって、熱衝撃やリフロー負荷時に、基台５０と絶縁樹脂３０〜３４の線膨張係数差によって生じる熱応力による層剥離を防止できる。
【００５２】
また、基台５０上に絶縁樹脂３０〜３４とスパイラル配線２１〜２４を積層してコイル基板５を形成するので、絶縁樹脂３０〜３４の収縮や、基台５０と絶縁樹脂３０〜３４の線膨張係数差によって生じる加工歪を、基台５０を厚くすることで、低減することができる。特に、コイル基板５を多層とする場合に、加工歪みを有効に低減して、高精度化を実現できる。その後、基台５０をコイル基板５から剥がしているので、コイル部品２の薄型が可能となる。したがって、コイル部品２を厚くすることなく、多層化と高精度化を両立できる。
【００５３】
また、コイル部品２を絶縁樹脂３０〜３４およびスパイラル配線２１〜２４で構成できるため、スパイラル配線２１〜２４の密度を高くすることができる。このため、Ｌ値を高くでき、かつ、Ｒｄｃを低くできて、高性能化を図ることができる。
【００５４】
前記コイル部品２の製造方法によれば、ダミー金属層６０は、基台５０のベース金属層５２と接着されるので、ダミー金属層６０は、ベース金属層５２の円滑面に接着される。このため、ダミー金属層６０とベース金属層５２の接着力を弱くすることができて、基台５０をダミー金属層６０から容易に剥がすことができる。
【００５５】
前記コイル部品２によれば、スパイラル配線２１〜２４は、それぞれ、絶縁樹脂３０〜３４上に積層されているので、スパイラル配線２１〜２４を積層する基板は、そもそも存在しておらず、絶縁樹脂３０〜３４は、基板に接触していない。したがって、熱衝撃やリフロー負荷時に、基板と絶縁樹脂３０〜３４の線膨張係数差によって生じる熱応力による層剥離を防止できる。
【００５６】
前記コイル部品２によれば、全ての絶縁樹脂３０〜３４は、同一材料で構成されるので、各絶縁樹脂３０〜３４の線膨張係数の差をなくし、熱衝撃やリフロー負荷時に、各絶縁樹脂３０〜３４の層剥離を防止できる。
【００５７】
前記コイル部品２によれば、スパイラル配線２１〜２４のそれぞれの積層方向の断面形状は、積層方向の同一方向に突出すると共に曲線の側面２１ａ〜２４ａを有する凸形状である。これにより、スパイラル配線２１〜２４は、積層方向の力に対して、屈曲し難くなり、スパイラル配線２１〜２４と絶縁樹脂３０〜３４との間の剥離を抑制できる。
【００５８】
（第２実施形態）
図４Ａから図４Ｒは、本発明のコイル部品の製造方法の第２実施形態を示す説明図である。第２実施形態は、第１実施形態とは、コイル基板を形成する工程が相違する。なお、第２実施形態において、第１実施形態と同一の符号は、第１実施形態と同じ構成であるため、その説明を省略する。
【００５９】
図４Ａに示すように、基台５０を準備する。基台５０は、絶縁基板５１と、絶縁基板５１の両面に設けられたベース金属層５２とを有する。そして、図４Ｂに示すように、基台５０の一面上にダミー金属層６０を接着し、ダミー金属層６０上にベース絶縁樹脂３０を積層する。
【００６０】
そして、図４Ｃに示すように、ベース絶縁樹脂３０の一部に開口部３０ａを設けて、ダミー金属層６０を露出させる。開口部３０ａは、レーザ加工により形成される。
【００６１】
そして、図４Ｄに示すように、ベース絶縁樹脂３０上に第１スパイラル配線２１を設け、ベース絶縁樹脂３０の開口部３０ａ内のダミー金属層６０上に内磁路に対応する第１犠牲導体７１を設ける。このとき、第１スパイラル配線２１および第１犠牲導体７１を、ＳＡＰ（Semi Additive Process）により、同時に形成する。
【００６２】
そして、図４Ｅに示すように、第１スパイラル配線２１に間接的に通電して第１スパイラル配線２１をめっきにより大きくすると共に、ダミー金属層６０に通電してダミー金属層６０に接続された第１犠牲導体７１をめっきにより大きくする。これにより、低抵抗でかつ狭ピッチなスパイラル配線を形成できる。第１スパイラル配線２１を図示しない配線パターンに接続することで、配線パターンを介して第１スパイラル配線２１に間接的に通電する。なお、第１スパイラル配線２１に直接的に通電するようにしてもよい。第１スパイラル配線２１および第１犠牲導体７１を同時に形成してもよく、加工時間を短縮できる。
【００６３】
そして、図４Ｆに示すように、第１スパイラル配線２１および第１犠牲導体７１を第１絶縁樹脂３１で覆う。このとき、第１絶縁樹脂３１を真空ラミネータで積層してから熱硬化する。
【００６４】
そして、図４Ｇに示すように、第１絶縁樹脂３１の一部に開口部３１ａを設けて、第１犠牲導体７１を露出させる。開口部３１ａは、レーザ加工により形成される。
【００６５】
そして、図４Ｈに示すように、第１絶縁樹脂３１上に第２スパイラル配線２２を設け、第１絶縁樹脂３１の開口部３１ａ内の第１犠牲導体７１上に内磁路に対応する第２犠牲導体７２を設ける。なお、２層目以降の処理は、１層目の処理と同様である。
【００６６】
そして、図４Ｉに示すように、第２スパイラル配線２２に直接的または間接的に通電して第２スパイラル配線２２をめっきにより大きくすると共に、ダミー金属層６０に通電して第１犠牲導体７１を介して第２犠牲導体７２をめっきにより大きくする。
【００６７】
そして、図４Ｊに示すように、第２スパイラル配線２２および第２犠牲導体７２を第２絶縁樹脂３２で覆う。
【００６８】
そして、図４Ｋに示すように、第２絶縁樹脂３２の一部に開口部３２ａを設けて、第２犠牲導体７２を露出させる。
【００６９】
そして、図４Ｌに示すように、２層目と同様の処理を行って、３層目の第３スパイラル配線２３、第３犠牲導体７３および第３絶縁樹脂３３と、４層目の第４スパイラル配線２４、第４犠牲導体７４および第４絶縁樹脂３４とを設ける。第３犠牲導体７３は、ダミー金属層６０に通電し第１、第２犠牲導体７１，７２を介して、めっきにより大きくなる。第４犠牲導体７４は、ダミー金属層６０に通電し第１〜第３犠牲導体７１〜７３を介して、めっきにより大きくなる。
【００７０】
そして、図４Ｍに示すように、第４絶縁樹脂３４の一部に開口部３４ａを設けて、第４犠牲導体７４を露出させる。
【００７１】
そして、図４Ｎに示すように、第１から第４犠牲導体７１〜７４を取り除き、スパイラル配線２１〜２４および絶縁樹脂３０〜３４で構成される絶縁樹脂体３５に、内磁路に対応する孔部３５ａを設ける。第１から第４犠牲導体７１〜７４は、エッチングにより除去される。犠牲導体７１〜７４の材料は、例えば、スパイラル配線２１〜２４の材料と同じである。このようにして、スパイラル配線２１〜２４および絶縁樹脂３０〜３４により、コイル基板５Ａを形成する。
【００７２】
そして、図４Ｏに示すように、コイル基板５Ａの端部を基台５０の端部とともにカットライン１０で切り落とす。カットライン１０は、ダミー金属層６０の端面よりも内側に位置する。
【００７３】
そして、図４Ｐに示すように、基台５０（ベース金属層５２）の一面とダミー金属層６０との接着面で基台５０をダミー金属層６０から剥がす。そして、図４Ｑに示すように、ダミー金属層６０をコイル基板５Ａから取り除く。
【００７４】
そして、図４Ｒに示すように、コイル基板５Ａを磁性樹脂４０で覆う。磁性樹脂４０は、絶縁樹脂体３５の孔部３５ａに充填されて内磁路を構成し、絶縁樹脂体３５の外部に設けられて外磁路を構成する。そして、スパイラル配線２１〜２４の端部に（図示しない）外部端子を接続して、コイル部品２Ａを形成する。
【００７５】
なお、図４Ｍに示すように、ベース絶縁樹脂３０の開口部３０ａと、第１絶縁樹脂３１の開口部３１ａと、第２絶縁樹脂３２の開口部３２ａと、第３絶縁樹脂３３の開口部３３ａとは、全開口されているが、図５に示すように、ベース絶縁樹脂３０の開口部３０ｂと、第１絶縁樹脂３１の開口部３１ｂと、第２絶縁樹脂３２の開口部３２ｂと、第３絶縁樹脂３３の開口部３３ｂとは、環状に開口されるようにしてもよい。これにより、レーザ加工などによる開口の加工負荷を小さくできる。また、開口部の中央に絶縁樹脂を残しているため、使用する犠牲導体の材料を少なくできる。
【００７６】
前記コイル部品２Ａの製造方法によれば、第１スパイラル配線２１と第１犠牲導体７１とを１つの工程で設けている。つまり、第１スパイラル配線２１と第１犠牲導体７１は、ともに導体であるから、１つの工程で形成することが可能である。なお、第２から第４スパイラル配線２２〜２４および第２から第４犠牲導体７２〜７４を設ける場合についても同様である。これにより、絶縁樹脂３０〜３４に対する内磁路用の孔部３５ａ（犠牲導体７１〜７４）の位置の公差と、絶縁樹脂３０〜３４に対するスパイラル配線２１〜２４の位置の公差の合計は、小さい。結果として、内磁路の断面積を大きくでき、より高いインダクタンス値を得ることができる。
【００７７】
これに対して、絶縁樹脂に内磁路用の孔部を形成する工程と、絶縁樹脂にスパイラル配線を形成する工程とを、別の工程で行う場合、絶縁樹脂に対する孔部の位置の公差と、絶縁樹脂に対するスパイラル配線の位置の公差の合計を考慮して、スパイラル配線と孔部との間にある程度の距離が必要となる。これにより、孔部の断面積は、孔部の位置の公差およびスパイラル配線の位置の公差分だけ小さくなる。結果として、内磁路の断面積が小さくなり、高いインダクタンス値を得ることが困難である。
【００７８】
また、第１スパイラル配線２１に直接的または間接的に通電して第１スパイラル配線２１をめっきにより大きくし、ダミー金属層６０に通電してダミー金属層６０に接続された第１犠牲導体７１をめっきにより大きくする。これにより、第１スパイラル配線２１の厚さと第１犠牲導体７１の厚さの差を無くすことができる。したがって、第１スパイラル配線２１および第１犠牲導体７１を覆う第１絶縁樹脂３１の一部に開口部３１ａを設けて、第１犠牲導体７１を露出させるとき、開口部３１ａの深さは浅く、開口部３１ａの形成は容易となる。そして、第２スパイラル配線２２および第２犠牲導体７２を設け、第２絶縁樹脂３２に開口部３２ａを設けるとき、開口部３２ａの深さは一定となる。さらに、多層となっても、開口部３１ａ〜３４ａの深さは一定となり、開口部３１ａ〜３４ａの形成は容易となる。また、開口部３１ａ〜３４ａ内に設ける犠牲導体７１〜７４の形状も一定とできる。
【００７９】
これに対して、図６Ａに示すように、第１スパイラル配線２１をめっきにより大きくする一方、第１犠牲導体７１をめっきにより大きくしない場合、第１スパイラル配線２１の厚さと第１犠牲導体７１の厚さの差が生じる。したがって、図６Ｂに示すように、第１スパイラル配線２１および第１犠牲導体７１を覆う第１絶縁樹脂３１の一部に開口部３１ａを設けて、第１犠牲導体７１を露出させるとき、開口部３１ａの深さは深くなる。特に、図６Ｃに示すように、第２スパイラル配線２２および第２犠牲導体７２を設け、図６Ｄに示すように、第２絶縁樹脂３２に開口部３２ａを設ける場合、開口部３２ａの深さが一層深くなる。さらに、図６Ｅ〜図６Ｈに示すように、多層となるほど、開口部３３ａ，３４ａの深さが一層深くなって、開口部３３ａ，３４ａの形成が困難となる。つまり、各層の開口部３１ａ〜３４ａは次第に深くなるため、レーザ加工により開口部３１ａ〜３４ａを形成するとき、各層でレーザの焦点をずらす必要がある。また、犠牲導体７１〜７４を開口部３１ａ〜３４ａ内に設けることも困難となる。
【００８０】
なお、本発明は上述の実施形態に限定されず、本発明の要旨を逸脱しない範囲で設計変更可能である。例えば、第１と第２実施形態のそれぞれの特徴点を様々に組み合わせてもよい。
【００８１】
前記実施形態では、コイル部品は、４層のスパイラル配線と５層の絶縁樹脂とを有しているが、少なくとも２層のスパイラル配線（第１、第２スパイラル配線）と、少なくとも３層の絶縁樹脂（ベース絶縁樹脂、第１、第２絶縁樹脂）とを有していればよい。
【００８２】
前記実施形態では、基台は、絶縁基板とベース金属層とを有するようにしているが、ベース金属層を省略して絶縁基板のみを有するようにしてもよい。
【００８３】
前記実施形態では、基台の両面のうちの一面にコイル基板を形成しているが、基板の両面のそれぞれにコイル基板を形成するようにしてもよい。これにより、高い生産性を得ることができる。
【符号の説明】
【００８４】
１  電子部品
２，２Ａ  コイル部品
５，５Ａ  コイル基板
１０  カットライン
２１〜２４  第１〜第４スパイラル配線
２１ａ〜２４ａ  側面
２５，２６  ビア配線
３０  ベース絶縁樹脂
３１〜３４  第１〜第４絶縁樹脂
３０ａ〜３４ａ，３０ｂ〜３３ｂ  開口部
３５  絶縁樹脂体
３５ａ  孔部
４０  磁性樹脂
５０  基台
５１  絶縁基板
５２  ベース金属層
６０  ダミー金属層
７１〜７４  第１〜第４犠牲導体
【図１】
2019004177.tif 000003
【図２】
2019004177.tif 000004
【図３Ａ】
2019004177.tif 000005
【図３Ｂ】
2019004177.tif 000006
【図３Ｃ】
2019004177.tif 000007
【図３Ｄ】
2019004177.tif 000008
【図３Ｅ】
2019004177.tif 000009
【図３Ｆ】
2019004177.tif 000010
【図３Ｇ】
2019004177.tif 000011
【図３Ｈ】
2019004177.tif 000012
【図３Ｉ】
2019004177.tif 000013
【図３Ｊ】
2019004177.tif 000014
【図３Ｋ】
2019004177.tif 000015
【図３Ｌ】
2019004177.tif 000016
【図３Ｍ】
2019004177.tif 000017
【図４Ａ】
2019004177.tif 000018
【図４Ｂ】
2019004177.tif 000019
【図４Ｃ】
2019004177.tif 000020
【図４Ｄ】
2019004177.tif 000021
【図４Ｅ】
2019004177.tif 000022
【図４Ｆ】
2019004177.tif 000023
【図４Ｇ】
2019004177.tif 000024
【図４Ｈ】
2019004177.tif 000025
【図４Ｉ】
2019004177.tif 000026
【図４Ｊ】
2019004177.tif 000027
【図４Ｋ】
2019004177.tif 000028
【図４Ｌ】
2019004177.tif 000029
【図４Ｍ】
2019004177.tif 000030
【図４Ｎ】
2019004177.tif 000031
【図４Ｏ】
2019004177.tif 000032
【図４Ｐ】
2019004177.tif 000033
【図４Ｑ】
2019004177.tif 000034
【図４Ｒ】
2019004177.tif 000035
【図５】
2019004177.tif 000036
【図６Ａ】
2019004177.tif 000037
【図６Ｂ】
2019004177.tif 000038
【図６Ｃ】
2019004177.tif 000039
【図６Ｄ】
2019004177.tif 000040
【図６Ｅ】
2019004177.tif 000041
【図６Ｆ】
2019004177.tif 000042
【図６Ｇ】
2019004177.tif 000043
【図６Ｈ】
2019004177.tif 000044